(57)【要約】【課題】  紙媒体上のＩＣタグにより、コンピュータでの読み取りに適したデジタル情報を活用することができるようにする。【解決手段】  ＩＣタグ読み取り・書き込み部８１は、メインコントローラ２０からの制御に基づいて、画像形成を行う用紙や画像読み取りを行う原稿といった紙媒体に設けられたＩＣタグから情報を読み取ったり、ＩＣタグに情報を書き込んだりする。ＩＣタグ埋め込み部８２は、メインコントローラ２０からの制御に基づいて、画像形成が行われた用紙にＩＣタグを埋め込む。【選択図】  図４
2006254123.tif 000002
【特許請求の範囲】
【請求項１】
ＩＣタグから情報を読み取る情報読み取り手段を備えたことを特徴とする画像処理装置。
【請求項２】
ＩＣタグに情報を書き込む情報書き込み手段を備えたことを特徴とする画像処理装置。
【請求項３】
画像を読み取る画像読み取り手段を備え、
前記ＩＣタグは、前記画像読み取り手段により画像読み取りが行われる紙媒体に設けられていることを特徴とする請求項１または２記載の画像処理装置。
【請求項４】
画像を読み取る画像読み取り手段と、
前記画像処理装置の制御を行う制御手段とを備え、
前記情報書き込み手段は、操作者が予め定められた条件を満たすか否かを認証するための認証情報を前記ＩＣタグに書き込む機能を備え、
前記制御手段は、前記ＩＣタグ内の認証情報に基づいた認証により操作者が予め定められた条件を満たすと判定した場合のみ、前記ＩＣタグが設けられた紙媒体の読み取りを前記画像読み取り手段により行うことを許可することを特徴とする請求項２記載の画像処理装置。
【請求項５】
紙媒体に対して画像処理を行う画像処理手段を備え、
前記ＩＣタグは、前記画像処理手段による処理対象の紙媒体に設けられたことを特徴とする請求項１から４の何れか１項に記載の画像処理装置。
【請求項６】
画像出力を行う画像出力手段を備え、
前記ＩＣタグは、前記画像出力手段により画像出力を行う紙媒体に設けられたことを特徴とする請求項１から４の何れか１項に記載の画像処理装置。
【請求項７】
ＩＣタグを紙媒体に埋め込む埋め込み手段を備えたことを特徴とする請求項１から６の何れか１項に記載の画像処理装置。
【発明の詳細な説明】
【技術分野】
【０００１】
本発明は、例えばプリンタ、スキャナ、ＦＡＸ、コピー機、ＭＦＰ（multi-function printer）、など、画像データに各種の処理を行う機能を備えた画像処理装置に関する。
【背景技術】
【０００２】
従来より、画像データに各種の処理を行う機能を備えた画像処理装置では、図８に示すバーコードやマークシートにより、コンピュータでの読み取りに適したデジタル情報を紙媒体に記録することが行われている。
【０００３】
また、本出願人により先に出願されている特許文献１のものでは、媒体用紙上におけるそれぞれの記載情報の記載位置情報を含む連結情報および選択情報が記録された媒体用紙から、読み取り手段が連結情報および選択情報を読み取り、その読み取った情報に基づいて予め記憶させたファイル手段から関連情報ファイルを検索するようにしている。
【特許文献１】特開平９−９１３０１号公報
【発明の開示】
【発明が解決しようとする課題】
【０００４】
しかしながら、上述した特許文献１のものなど従来の装置では、紙媒体にバーコードやマークシート、連結情報、選択情報といった何らかの情報を書き込むことによって、コンピュータでの読み取りに適したデジタル情報を読み取りや書き込みできるようにしているため、例えば紙媒体上に書き込んだ情報が汚れてしまった場合には、書き込まれたデジタル情報の認識精度が低下してしまう虞があった。
【０００５】
本発明はこのような状況に鑑みてなされたものであり、紙媒体上のＩＣタグにより、コンピュータでの読み取りに適したデジタル情報を活用することができる画像処理装置を提供することを目的とする。
【課題を解決するための手段】
【０００６】
かかる目的を達成するために、本発明に係る画像処理装置は、ＩＣタグから情報を読み取る情報読み取り手段を備えたことを特徴とする。
【０００７】
また、ＩＣタグに情報を書き込む情報書き込み手段を備えたことであってもよい。
【０００８】
画像を読み取る画像読み取り手段を備え、上記したＩＣタグは、画像読み取り手段により画像読み取りが行われる紙媒体に設けられていることが好ましい。
【０００９】
画像を読み取る画像読み取り手段と、画像処理装置の制御を行う制御手段とを備え、上記した情報書き込み手段は、操作者が予め定められた条件を満たすか否かを認証するための認証情報をＩＣタグに書き込む機能を備え、上記した制御手段は、ＩＣタグ内の認証情報に基づいた認証により操作者が予め定められた条件を満たすと判定した場合のみ、ＩＣタグが設けられた紙媒体の読み取りを画像読み取り手段により行うことを許可することが好ましい。
【００１０】
紙媒体に対して画像処理を行う画像処理手段を備え、上記したＩＣタグは、画像処理手段による処理対象の紙媒体に設けられることが好ましい。
【００１１】
画像出力を行う画像出力手段を備え、上記したＩＣタグは、画像出力手段により画像出力を行う紙媒体に設けられることが好ましい。
【００１２】
ＩＣタグを紙媒体に埋め込む埋め込み手段を備えることが好ましい。
【発明の効果】
【００１３】
以上のように、本発明によれば、紙媒体上のＩＣタグにより、コンピュータでの読み取りに適したデジタル情報を活用することができる。
【発明を実施するための最良の形態】
【００１４】
次に、本発明に係る画像処理装置を画像形成装置に適用した一実施形態について、図面を用いて詳細に説明する。
【００１５】
図１に、本発明の実施形態としての画像形成装置の構成概要を示す。
自動原稿送り装置（ＡＤＦ）１にある、原稿台２に原稿の画像面を上にして置かれた原稿束は、操作部３０上のスタートキー３４が押下されると、一番上の原稿から給送ローラ３、給送ベルト４によってコンタクトガラス６上の所定の位置に給送される。
【００１６】
読み取りユニット５０によってコンタクトガラス６上の原稿の原稿面画像を読み取り後、読み取りが終了した原稿は、給送ベルト４及び排送ローラ５によって排出される。
さらに、原稿セット検知７にて原稿台２に次の原稿が有ることを検知した場合、前原稿と同様にコンタクトガラス６上に給送される。給送ローラ３、給送ベルト４、排送ローラ５はモータによって駆動される。
【００１７】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、画像書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１８】
後処理装置としてのフィニシャ１００は、通常排紙ローラ１０２方向と、第二排紙トレイ１０７方向へに導くことができる。切り替え板１０１を上に切り替えることにより、搬送ローラ１０３を経由して通常排紙トレイ１０４側に排紙することができる。また、切り替え板１０１を下方向に切り替えることで、搬送ローラ１０５、１０６を経由して、第二排紙トレイ１０７に搬送することができる。
【００１９】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦両面給紙ユニット１１１にストックする。
【００２０】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２１】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２２】
図２は、上述した本実施形態としての画像形成装置における操作部（入力手段）３０を示した図である。
【００２３】
図２に例示した操作部３０には、液晶タッチパネル３１と、テンキー３２と、クリア／ストップキー３３と、スタートキー３４と、予熱キー３５と、リセットキー３６と、ドキュメントボックスキー３８と、初期設定キー３９と、割込キー４２とが設けられている。
液晶タッチパネル３１は、後述するモード設定のためのキーや画像形成装置の状態を示すメッセージなどを表示すると共に、押圧による操作入力を受ける。
【００２４】
図３は、操作部３０の液晶タッチパネル３１による表示の一例を示す図である。
操作者が液晶タッチパネル３１に表示されたキーにタッチすることで、選択された機能を示すキーが黒く反転する。また、例えば変倍機能における変倍値設定等、機能の詳細を指定しなければならない場合、操作者がキーにタッチすることで、詳細機能の設定画面が表示される。
このように、液晶タッチパネル３１は、ドット表示器を使用している為、状況に応じて最適な表示をグラフィカルに行うことが可能である。
【００２５】
図３中、左上は、「コピーできます」、「読み取り蓄積できます」、「お待ちください」等のメッセージを表示するメッセージエリアであり、その右は、印刷時にセットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキーがあり、さらに倍率を等倍にセットする等倍キー、拡大／縮小倍率をセットする変倍キー、両面モードを設定する両面キー、とじ代モード等を設定する編集キー、表紙／合紙モードを設定する表紙／合紙キーが設けられている。
また、給紙トレイ数に対応した給紙トレイ状態を示し、手動で給紙段を設定するためのキーが給紙段分表示されている。
【００２６】
図４は、メインコントローラを中心に、本実施形態としての画像形成装置における制御のための構成を図示したものである。
メインコントローラ２０は、本実施形態としての画像形成装置全体を制御する。メインコントローラ２０には、紙搬送等に必要なメインモータ２５、各種クラッチ２１〜２４が接続されている。
【００２７】
また、メインコントローラ２０周りには、操作者に対する表示、操作者からの機能設定入力制御を行う操作部３０と、スキャナの制御、原稿画像を画像メモリに書き込む制御、画像メモリからの作像を行う制御等を行う画像処理ユニット（ＩＰＵ）４９と、原稿自動送り装置（ＡＤＦ）１と、等の分散制御装置が接続されている。
【００２８】
各分散制御装置とメインコントローラ２０は必要に応じて機械の状態、動作司令のやりとりを行っている。各分散制御装置が実行する制御プログラムは各分散制御装置内部のＲＯＭに格納されている。
メインコントローラ２０にはＩＣカードスロット２７が接続されており、ＩＣカードスロット２７を介して、画像形成装置外部のＩＣカードに格納されている制御プログラムデータを分散制御装置内部のＲＯＭ（例えばEEPROM；Electrically Erasable and Programmable ROM）にダウンロードし、制御プログラムを変更することが可能である。
【００２９】
また、メインコントローラ２０には、ＩＣタグ読み取り・書き込み部８１と、ＩＣタグ埋め込み部８２とが接続される。
ＩＣタグ読み取り・書き込み部８１は、メインコントローラ２０からの制御に基づいて、画像形成を行う用紙や画像読み取りを行う原稿といった紙媒体に設けられたＩＣタグから情報を読み取ったり、ＩＣタグに情報を書き込んだりする。
ＩＣタグ埋め込み部８２は、メインコントローラ２０からの制御に基づいて、画像形成が行われた用紙にＩＣタグを埋め込む。
【００３０】
次に、本実施形態としての画像形成装置による画像読み取りから画像を記録面上に潜像形成するまでの動作について、図１を参照して説明する。潜像とは感光体面上に画像を光情報に変換して照射することにより生じる電位分布である。
【００３１】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に走査される。
【００３２】
この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定された倍率に対応してレンズ５３及びＣＣＤイメージセンサ５４の左右方向に位置が設定される。
【００３３】
画像書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【００３４】
レーザ出力ユニット５８より照射されるレーザ光は、定速回転するポリゴンミラーで偏光され、結像レンズ５９を通り、ミラー６０で折り返され、感光体面上に集光結像する。
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００３５】
上述のように、画像書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３６】
次に、本実施形態としての画像形成装置における画像処理部（画像読みとり部と画像書き込み部）周りの構成について、図５を参照して説明する。
露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。
【００３７】
デジタル信号に変換された画像信号は、シェーディング補正６２がなされた後、画像処理部６３にてＭＴＦ補正、γ補正等がなされる。セレクタ６４では、画像信号の送り先を、書き込みγ補正部７３または、画像メモリコントローラ６５への切り替えが行われる。書き込みγ補正部７３を経由した画像信号は画像書き込みユニット５７に送られる。画像メモリコントローラ６５とセレクタ６４間は、双方向に画像信号を入出力可能な構成となっている。
【００３８】
図５には特に明示していないが、画像処理部（ＩＰＵ）には、画像読み取りユニット５０から入力される画像データ以外にも外部から供給される画像データ（例えばパーソナルコンピュータ等のデータ処理装置から出力されるデータ）も処理できるよう、複数のデータの入出力の選択を行う機能を有している。
【００３９】
また、本実施形態としての画像形成装置は、制御のための構成として、画像メモリコントローラ６５等への設定や、画像読み取りユニット５０、画像書き込みユニット５７への制御を行うＣＰＵ６８、及びそのプログラムやデータを格納するＲＯＭ６９、ＲＡＭ７０を備えている。ＣＰＵ６８は、メモリコントローラ６５を介して、画像メモリ６６のデータの書き込み、読み出しを行う機能を備える。
また画像メモリ６６の内容を退避させたり、保存するためのＨＤＤ（画像データ格納手段）７１を備えている。
【００４０】
次に、本実施形態としての画像形成装置におけるＩＣタグ読み取り・書き込み部８１と、そのＩＣタグ読み取り・書き込み部８１による情報読み取りや情報書き込みの対象となるＩＣタグ９１とについて、図６を参照して説明する。
【００４１】
ＩＣタグ９１は、コンピュータでの読み取りに適したデジタル情報の読み取りや書き込みを、無線通信により非接触で行うことができるものであり、図７に例示するように、用紙や原稿といった紙媒体に、あまり目立たないように設けられる。
【００４２】
ＩＣタグ読み取り・書き込み部８１は、図６に示すように、読出し（書込み）信号を送信するための送信部８５、ＩＣタグ９１からの応答信号を受信して通信回線７側へデータ伝送するための受信部８６、これら送信部８５及び受信部８６の送信若しくは受信動作を制御するための制御部８７、及びＩＣタグ９１との信号の送受信を行うためのアンテナ８８を有している。
【００４３】
また、ＩＣタグ９１は、読出し（書込み）信号に係る情報を記録するためのメモリ９２、ＩＣタグ読み取り・書き込み部８１からの読出し（書込み）信号を受信すると共に、メモリ９２内の情報を応答信号としてＩＣタグ読み取り・書き込み部８１へ送信するか、又はメモリ９２内に情報を記録するための送受信部９３、ＩＣタグ読み取り・書き込み部８１からの読出し（書込み）信号に係る電磁波をＩＣタグ９１の動作を行うためのエネルギに変換するための電源整流部９４、及び、ＩＣタグ読み取り・書き込み部８１との信号の送受信を行うためのループアンテナ９５を有している。このように、ＩＣタグ９１は、ＩＣタグ読み取り・書き込み部８１からの電波のエネルギで動作するため、電池は不要である。
【００４４】
また、ループアンテナ９５は、ＩＣタグ読み取り・書き込み部：８１との通信が可能であれば各種の構成であってよく、さらに、なるべく紙面上で目立たないものが好ましい。
【００４５】
このような構成により、ＩＣタグ読み取り・書き込み部８１のアンテナ８８の通信エリアにＩＣタグ９１が進入すると、ＩＣタグ９１では、アンテナ８８から送信されている情報信号をループアンテナ９５を介して送受信部９３で受信すると共に、電源整流部６６でＩＣタグ９１の動作エネルギに変換し、ＩＣタグ９１の動作を開始する。
【００４６】
ここで、送受信部９３で受信した情報信号が読出信号のときには、メモリ６３内の情報を読み出し、応答信号としてループアンテナ９５からＩＣタグ読み取り・書き込み部８１に送信する。また、送受信部９３で受信した信号が書込信号のときには、メモリ６３内に情報信号を書き込む。
【００４７】
一方、ＩＣタグ読み取り・書き込み部８１では、ＩＣタグ９１からの応答信号をアンテナ８８を介して受信部８６で受信すると、情報信号を取出して通信回線７側へ伝送する。
【００４８】
更に詳細に説明すると、ＩＣタグ９１は、情報媒体を構成するコイル（Ｌ）とコンデンサ（Ｃ）の回路が持つ共振回路特有の受動反射波（誘導エコー）を利用した電磁波誘導エコースキャニング方式を採用している。これにより、ＩＣタグ読み取り・書き込み部８１のアンテナ８８からＬ／Ｃパターンが持つ固有の周波数と共振する電磁波が与えられると、この電磁波の電磁界内にあるＬ／Ｃパターンが共振現象を起こしエコー波を発射するものとなっており、このエコー波をＩＣタグ読み取り・書き込み部８１のアンテナで受信し、そのエネルギを判別することで、情報（ここでは、顧客コード）の識別が可能となる。なお、ＩＣタグによる無線通信の方式としては、他にも電磁結合方式や光方式などがある。
【００４９】
本実施形態としての画像形成装置は、以上のように構成されることにより、原稿画像の読み取り時や用紙への画像形成時に、ＩＣタグ読み取り・書き込み部８１により、原稿や用紙といった紙媒体に設けられたＩＣタグ９１に対して情報の読み取りや書き込みを行うことができる。
【００５０】
また、紙媒体に設けられたＩＣタグ９１に、例えばパスワードやパスフレーズなど、予め定められたセキュリティ情報を記録することで、そのセキュリティ情報による認証で認証ＯＫとされた操作者のみが紙媒体の画像読み取りを行うようにすることができる。
【００５１】
例えば、パスワードを記録する場合であれば、ＩＣタグ９１のメモリ９２にパスワードを記録しておくことにより、操作者がＡＤＦ１に原稿をセットしてその原稿の画像をコピーまたはスキャンしようとすると、液晶タッチパネルにパスワードの入力を要求する画面が表示される。
ここで合致するパスワードが操作部３０から入力された場合のみ、ＣＰＵ６８やメインコントローラ２０などによる本画像形成装置の制御手段は、要求されたコピーまたはスキャンといった動作を実行する。入力されたパスワードが制御手段による認証でＮＧであった場合、要求された操作を実行せず、無視する。
【００５２】
以上のように、上述した本発明の実施形態によれば、用紙や原稿といった紙媒体上のＩＣタグに対応したＩＣタグ読み取り・書き込み部８１を備えることにより、紙媒体上のＩＣタグに記録可能で、コンピュータでの読み取りに適したデジタル情報を、読み取りや書き込みといったように活用することができる。
【００５３】
また、ＩＣタグが埋め込まれた紙に情報を書き込む手段を備えることにより、ＩＣタグが埋め込まれた紙に、電子情報をもたせることができる。
このため、必要な情報をすぐに紙媒体に添付することができる。
【００５４】
また、ＩＣタグが埋め込まれた紙媒体のＩＣタグから情報を読み取る手段を備えることにより、紙媒体に埋め込まれたＩＣタグから、紙媒体の汚れなどに影響されない正確な情報を読み取ることができる。
【００５５】
また、印刷時にＩＣタグを印刷対象である紙媒体に埋め込む手段を備えることにより、印刷時に自動でＩＣタグを紙に埋め込み、情報を書き込むことができる。
このため、ＩＣタグの埋め込み作業を簡略化することができると共に、紙面上には余計な形がないようにすることができる。
【００５６】
さらに、埋め込み対象である紙を一般の用紙に替えて、例えば厚みがあるなどにより、ＩＣタグを埋め込むと周囲との差がなくなるようにできる特別な用紙を用いることによれば、紙媒体表面におけるＩＣタグの存在感を限りなく小さなものとすることができる。
【００５７】
また、本実施形態によれば、紙媒体に埋め込まれたＩＣタグにセキュリティ情報を書き込むことができるため、不正コピーや不正スキャン防止を簡単に行うことができる。
このため、セキュリティ情報に基づいて認証ＯＫとさせることができる予め定められた操作者のみに、コピーやスキャンといった操作を許可するようにすることができる。
【００５８】
なお、上述した各実施形態は本発明の好適な実施形態であり、本発明はこれに限定されることなく、本発明の技術的思想に基づいて種々変形して実施することが可能である。
例えば、ＩＣタグが用紙や原稿といった紙媒体に設けられる位置は、図７に示す位置に限定されず、ＩＣタグ読み取り・書き込み部８１により情報の読み書きが可能な位置であれば任意の位置であってよい。
【００５９】
また、ＩＣタグ埋め込み部８１についても、上述した実施形態では印刷後に埋め込む構成として説明したが、ＩＣタグを紙媒体に埋め込むことができれば任意の構成であってよく、例えば感光体による画像転写前に埋め込む構成や、感光体による画像転写後でフィニッシャ１００に排紙する前に埋め込む構成などであってもよい。また、画像読み取りを行う原稿に埋め込む構成であってもよい。
【００６０】
また、ＩＣタグ埋め込み部８２は、画像形成が行われた用紙にＩＣタグを埋め込むこととして説明したが、ＩＣタグを紙媒体に設けることができればこのものに限定されず、例えば紙媒体表面にＩＣタグを貼り付けるものなどであってもよい。
【００６１】
また、用紙へのＩＣタグの設け方は、例えば用紙への貼り付け、埋め込み、紙素材への漉き込み、２枚の紙素材による挟み込みなど、任意の設け方であってよい。
【００６２】
また、ＩＣタグは、本実施形態に係る画像処理装置のＩＣタグ読み取り・書き込み部８１による読み取りや書き込みに対応したものであれば、任意の種類のものであってよい。
【００６３】
また、上述した実施形態におけるＩＣタグ読み取り・書き込み部８１の装置内の位置は、図１により上述した位置に限定されず、ＩＣタグに対する読み取りや書き込みが可能な位置であれば任意の位置であってよい。
【００６４】
また、上述した実施形態におけるＩＣタグ読み取り・書き込み部８１は、一体でなく、ＩＣタグからの情報読み取りを行うＩＣタグ読み取り部と、ＩＣタグに対する情報書き込みを行うＩＣタグ書き込み部として、別個に設けられていてもよい。この場合のＩＣタグ読み取り部やＩＣタグ書き込み部についても、装置内の位置は特に限定されず、読み取りや書き込みが可能な位置であれば任意の位置であってよい。
【００６５】
また、上述した実施形態におけるＩＣタグ読み取り・書き込み部８１を備える構成に替えて、情報読み取りを行うＩＣタグ読み取り部のみを備える構成であっても本発明は同様に適用することができる。
【００６６】
また、上述した実施形態におけるＩＣタグ読み取り・書き込み部８１を備える構成に替えて、情報書き込みを行うＩＣタグ書き込み部のみを備える構成であっても本発明は同様に適用することができる。
【００６７】
また、パスワードやパスフレーズなど、予め定められたセキュリティ情報を記録することで、認証ＯＫとさせることができる操作者のみがコピーまたはスキャンの操作を実行させることができることとして説明したが、セキュリティ情報に基づいて予め定められた条件を満たす操作者からの操作しか受け付けないようにすることができれば、認証方式はこの方式に限定されず、各種の認証方式であってよい。
【００６８】
また、画像形成装置における画像出力手段や制御のための構成などは、画像形成装置としてＩＣタグの読み取り・書き込み手段を備えた構成であれば、上述した実施形態としての画像形成装置の構成に限定されず、任意の構成であってよい。
【００６９】
また、以上に、本発明を画像形成装置に適用した実施形態について説明したが、画像処理を行う機能を備えた画像処理装置であれば各種のものであってよく、例えばスキャナ、ＦＡＸなどであってもよい。
【図面の簡単な説明】
【００７０】
【図１】本発明の実施形態としての画像形成装置の構成の概要を示す図である。
【図２】該画像形成装置の操作部３０の構成例を示す図である。
【図３】該操作部３０における液晶タッチパネル３１の表示例を示す図である。
【図４】本実施形態としての画像形成装置の制御のための構成を示す図である。
【図５】該画像形成装置の画像読みとり部と画像書き込み部の構成例を示す図である。
【図６】本実施形態におけるＩＣタグ読み取り・書き込み部８１とＩＣタグ９１との構成例を示す図である。
【図７】紙媒体にＩＣタグを埋め込んだ状態例を示す図である。
【図８】用紙上にデジタル情報を記録する従来の例を示す図である。
【符号の説明】
【００７１】
１    自動原稿送り装置（ＡＤＦ）
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
３０    操作部（入力手段の一例）
３１    液晶タッチパネル
３２    テンキー
３３    クリア／ストップキー
３４    スタートキー
３８    ドキュメントボックスキー
５０    画像読み取りユニット
５１    露光ランプ
５２    第１ミラー
５３    レンズ
５４    ＣＣＤイメージセンサ
５５    第２ミラー
５６    第３ミラー
５７    画像書き込みユニット
５８    レーザ出力ユニット
５９    結像レンズ
６０    ミラー
７１    ＨＤＤ
８１    ＩＣタグ読み取り・書き込み部
８２    ＩＣタグ埋め込み部
８５    送信部
８６    受信部
８７    制御部
９１    ＩＣタグ
９２    メモリ
９３    送受信部
９４    電流整流部
９５    ループアンテナ
１００    フィニッシャ
１０１    分岐偏向板
１０２    スタッカ搬送ローラ
１０３    スタッカ排紙ローラ
１０４    スタッカ・トレイ
１０５    搬送ローラ
１０６    排紙ローラ
１０７    第２排紙トレイ
１０８    落下ストッパ
１０９    落下トレイ
１１０    両面給紙ユニット
１１１    分岐爪
【図１】
2006254123.tif 000003
【図２】
2006254123.tif 000004
【図３】
2006254123.tif 000005
【図４】
2006254123.tif 000006
【図５】
2006254123.tif 000007
【図６】
2006254123.tif 000008
【図７】
2006254123.tif 000009
【図８】
2006254123.tif 000010